(57)【特許請求の範囲】
【請求項１】
個々に独立して設けられた被給油タンクの個数及び該被給油タンクそれぞれへの給油量が給油データとして当該被給油タンクへの給油に先立って手動で入力される入力部を有し、該入力部から入力された給油データに対応するバーコードが記憶されたレシートを発行する券売機と、
前記入力部から入力される給油データを前記バーコードに対応させて格納するデータベースと、
給油許可が与えられたことを条件に、前記被給油タンクへの給油が可能となる複数の給油系統と、
前記給油系統毎に当該給油系統専用に設けられ、作業者による前記レシートの読み取り操作がなされることにより前記レシートに記憶されたバーコードを読み取る複数のバーコード端末機と、
該複数のバーコード端末機により前記バーコードが読み取られる毎に、前記データベースに格納された給油データより当該バーコードに対応する給油データを取り込み、前記バーコードを読み込んだ当該バーコード端末機に対応する前記給油系統に対して当該給油データの被給油タンクの数量分の給油許可を与え、当該被給油タンクの個数分の給油が完了している場合には、被給油タンクへの給油を禁止する制御部と、
を備えてなることを特徴とする給油システム。
【発明の詳細な説明】
【０００１】
【発明の属する技術分野】
本発明は給油システムに係り、特に複数の給油系統からの複数の被給油タンクへの給油を同時に行なえるよう構成された給油システムに関する。
【０００２】
【従来の技術】
従来、灯油専用の計量機は、地上固定式の計量機よりなり、ガソリンや軽油等の計量機と同様に、計量機から導出される可撓性を有する給油ホースと、その給油ホース先端に設けられてポリ容器の給油口に挿入される給油ノズルとを有している。
【０００３】
ところが、従来の給油装置では、ポリ容器を地面に置いた状態で給油するため、作業員が腰を曲げて給油ノズルを操作しなければならず、給油操作がやりづらかった。
【０００４】
このような不都合を解消するため、給油ノズルを昇降可能に支持して給油する方法、あるいは計量機の側面から下方に延在された給油管をポリ容器の給油口に挿入して給油する方法が開発されている。
【０００５】
さらに、予めプリペイドカードのカードデータ（給油量または給油金額）がカードリーダによって読み込まれると、一の給油系統に対する給油量がプリセットされ、給油操作釦が押圧操作されている間のみ給油される給油機能を有する給油装置が開発されている。
【０００６】
そして、この給油装置では、給油操作釦が押圧操作されると電磁弁が開弁（あるいはポンプ起動）されて給油が開始され、給油操作釦の押圧操作が解除されると電磁弁が閉弁（あるいはポンプ停止）されて給油が停止する。
【発明が解決しようとする課題】
上記のような給油を行なう給油装置では、予め購入されたプリペイドカードのカードデータ（給油量または給油金額）がカードリーダによって読み込まれると、一の給油系統に対する給油許可を出力すると共に給油量がプリセットされるため、複数のポリ容器に給油する場合でも、計量機の片側の給油系統のみを使用してポリ容器に給油することになる。
【０００７】
ところで、顧客の多くが自動車でポリ容器を運搬するため、１人の顧客が一度に３〜４個のポリ容器を持参する場合が多い。
【０００８】
そのため、顧客が給油を行なう際、複数のポリ容器を一つずつ給油しなければならないので、複数のポリ容器への給油開始から給油終了までの時間が長くかかるといった問題がある。
【０００９】
また、一の給油系統で複数のポリ容器に給油するため、計量機の所定位置で給油の終わったポリ容器と給油前のポリ容器とを入替える必要があり、ポリ容器の入替え作業が面倒であるといった問題もある。
そこで、本発明は上記課題を解決した給油システムを提供することを目的とする。
【００１０】
【課題を解決するための手段】
本発明は上記課題を解決するため、以下のような特徴を有する。
【００１１】
本発明は、個々に独立して設けられた被給油タンクの個数及び該被給油タンクそれぞれへの給油量が給油データとして当該被給油タンクへの給油に先立って手動で入力される入力部を有し、該入力部から入力された給油データに対応するバーコードが記憶されたレシートを発行する券売機と、
前記入力部から入力される給油データを前記バーコードに対応させて格納するデータベースと、
給油許可が与えられたことを条件に、前記被給油タンクへの給油が可能となる複数の給油系統と、
前記給油系統毎に当該給油系統専用に設けられ、作業者による前記レシートの読み取り操作がなされることにより前記レシートに記憶されたバーコードを読み取る複数のバーコード端末機と、
該複数のバーコード端末機により前記バーコードが読み取られる毎に、前記データベースに格納された給油データより当該バーコードに対応する給油データを取り込み、前記バーコードを読み込んだ当該バーコード端末機に対応する前記給油系統に対して当該給油データの被給油タンクの数量分の給油許可を与え、当該被給油タンクの個数分の給油が完了している場合には、被給油タンクへの給油を禁止する制御部と、
を備えてなることを特徴とするものである。
【００１２】
従って、本発明によれば、バーコード端末機によりバーコードが読み取られる毎に、データベースに格納された給油データより当該バーコードに対応する給油データを取り込み、バーコードを読み込んだ当該バーコード端末機に対応する給油系統に対して当該給油データの被給油タンクの数量分の給油許可を与え、当該被給油タンクの個数分の給油が完了している場合には、被給油タンクへの給油を禁止するため、複数の給油系統で複数の被給油タンクに順次給油することができる。よって、同一の顧客が複数の給油系統を用いて複数の被給油タンクへ同時に給油することが可能になり、複数の被給油タンクへの給油時間を短縮することができる。
【００１３】
図１は本発明になる給油装置の一実施例を示す構成図である。
【００１４】
図１に示されるように、給油システム１１は、灯油のセルフサービス給油を行うシステムであり、大略、給油エリアに設置された計量機１２と、計量機１２の左側に設置された第１のバーコード端末機１４と、計量機１２の右側に設置された第２のバーコード端末機１６と、バーコードが印字されたレシートを発券する券売機１８と、上記計量機１２、第１のバーコード端末機１４、第２のバーコード端末機１６、券売機１８とシリアル回線２０を介して接続された制御部２２と、から構成されている。
【００１５】
計量機１２は、左右両側に載置されたポリ容器（被給油タンク）２９へ給油する第１、第２の給油系統２６，２８を有する。そして、第１のバーコード端末機１４は、第１の給油系統２６に対応して設けられており、第２のバーコード端末機１６は第２の給油系統２８に対応して設けられている。すなわち、第１の給油系統２６を使用して給油する場合には、第１のバーコード端末機１４に券売機１８から発行されたレシートを読み込ませる。第２の給油系統２８を使用して給油する場合には、第２のバーコード端末機１６に券売機１８から発行されたレシートを読み込ませる。
【００１６】
券売機１８は、顧客が希望する給油量、給油金額及び給油可能な給油データ（容器容量×容器個数）を表すバーコードが記載されたレシートを発行するように構成されている。さらに、券売機１８の前面には、容器容量（１８リットルまたは２０リットル）に応じた１回の給油量と、給油すべき容器個数を設定するための給油量選択釦（入力手段）１８ａ〜１８ｈと、料金表示器１８ｉと、料金支払い部１８ｊと、おつり返却口１８ｋと、確認釦１８ｍと、レシート発行口１８ｎが設けられている。
【００１７】
上段の給油量選択釦１８ａ〜１８ｄは、例えば１８リットル容器×１個、１８リットル容器×２個、１８リットル容器×３個、１８リットル容器×４個を選択するスイッチ釦である。また、下段の給油量選択釦１８ｅ〜１８ｈは、例えば２０リットル容器×１個、２０リットル容器×２個、２０リットル容器×３個、２０リットル容器×４個を選択するスイッチ釦である。
【００１８】
第１、第２のバーコード端末機１４,１６は、券売機１８により発行されたレシート（図示せず）が挿入されると、レシートに印字されたバーコード（識別データ）を読み取り、読み取った給油データ（容器容量×容器個数）を制御部２２へ送信する。
【００１９】
制御部２２は、券売機１８から送信された給油データ（容器容量×容器個数）及び伝票番号が格納されるデータベース３０を有する。そして、制御部２２は、第１のバーコード端末機１４または第２のバーコード端末機１６からレシートに記載された給油データ（容器容量×容器個数）が入力されると、入力された給油データとデータベース３０に登録された給油データとを照合し、両給油データが一致した場合には計量機１２の各給油系統２６，２８に対し給油許可を与える。これで、計量機１２の各給油系統２６，２８では、ポリ容器２９へ給油することができる。
【００２０】
図２は券売機１８の構成を示すブロック図である。
【００２１】
図２に示されるように、券売機１８の内部には、料金支払い部１８ｊに入金された紙幣及び硬貨を識別して入金金額を料金表示器１８ｉに表示すると共に、押圧操作された給油量選択釦１８ａ〜１８ｈに応じた給油金額を減算し、おつりがあるときはおつり返却口１８ｋへつり銭を排出する料金清算器３２が内臓されている。
【００２２】
また、券売機１８は、給油量、給油金額、給油データ（容器容量×容器個数）及び給油データ（容器容量×容器個数）を表すバーコード等を印字する印字装置３４を有する。そして、券売機１８は、各機器を制御する制御回路３３と、上記給油システム１０の制御部２２とシリアル回線２０を介してデータ通信を行なう入出力部３５とを有する。
【００２３】
ここで、計量機１２の構成について説明する。
【００２４】
図３は計量機１２の正面図である。図４は計量機１２の平面図である。図５は計量機１２の背面図である。図６は計量機１２の左側面図である。
【００２５】
図３乃至図６に示されるように、計量機１２は、計量機本体３６の内部に給油ポンプ、電磁弁、流量計等（共に図示せず）を有する。また、計量機本体３６の上部には、各給油系統２６，２８の流量表示器３８，４０が設けられている。
【００２６】
各給油系統２６，２８は、夫々ポリ容器２９が載置される載置台４６，４８と、載置台４６，４８の後方に起立されたノズル支持部５０，５２とを有する。載置台４６，４８は、ポリ容器２９への給油操作がし易い高さに設定されている。また、本実施例では、載置台４６，４８に夫々３個のポリ容器２９を同時に載置することができる。
【００２７】
ノズル支持部５０，５２には、給油ノズル５４，５６を左右方向（Ｘａ，Ｘｂ方向）にガイドするガイド孔５８，６０が設けられている。給油ノズル５４，５６は、給油ホース６２，６４を介して計量機本体３６内の給油管路（図示せず）に連通されている。また、給油ホース６２，６４の端部に結合された結合部６３，６５がノズル支持部５０，５２のガイド孔５８，６０に係合しており、給油ノズル５４，５６のスライド動作がガイドされる。
【００２８】
給油ホース６２，６４は、給油ノズル５４，５６がガイド孔５８，６０に沿って左右方向（Ｘａ，Ｘｂ方向）にスライド操作する際、給油ノズル５４，５６のスライド位置に追従するように変形する。また、給油ノズル５４，５６は、一端が結合部６３，６５に接続された接続管路６６と、接続管路６６の先端より下方に延在するノズル管路６８と、ノズル管路６８の内周に挿入された挿入管路７０とを有する。
【００２９】
挿入管路７０は、ノズル管路６８に対して上下方向に昇降可能に取り付けられており、ポリ容器２９へ給油する際にポリ容器２９の給油口２９ａに挿入される。そして、挿入管路７０の下端開口には、液面検知を行なって給油を停止してオーバフローを防止する自動給油停止機構（図示せず）が設けられている。なお、給油ホース６２，６４と接続管路６６との間、接続管路６６とノズル管路６８との間は、スイベル機構７１，７２により回転自在に連結されている。
【００３０】
また、接続管路６６の上方には、挿入管路７０をポリ容器２９の給油口２９ａに挿入される位置へ移動させるための把持部７４が設けられている。なお、ノズル管路６８には、開閉弁（図示せず）が設けられており、把持部７４の近傍には、給油開始時に開弁操作される操作レバー（図示せず）が設けられている。
【００３１】
従って、顧客は、券売機１８から発行されたレシートをバーコード端末機１４または１６に挿入してレシートのバーコードを読み取らせた後、ポリ容器２９を載置台４６，４８に載置し、把持部７４を把持して挿入管路７０をポリ容器２９の給油口２９ａに挿入し、その後操作レバーを開弁方向に回動させる。これで、ポリ容器２９への給油が開始される。
【００３２】
ここで、計量機１２、バーコード端末機１４,１６、券売機１８、制御部２２、が実行する制御処理について説明する。
【００３３】
図７は計量機１２、バーコード端末機１４,１６、券売機１８、制御部２２、が実行する制御処理のフローチャートである。
【００３４】
図７において、Ｓ１０〜Ｓ１６は、券売機１８で実行される処理であり、Ｓ２０〜Ｓ２６は制御部２２で実行される処理であり、Ｓ３１，３２はバーコード端末機１４,１６で実行される処理であり、Ｓ４１，４２は計量機１２で実行される処理である。
【００３５】
▲１▼  券売機１８で実行される処理
券売機１８では、Ｓ１０で給油量選択釦１８ａ〜１８ｈの操作により給油すべきポリ容器２９の容量及び数量を選択する。給油量選択釦１８ａ〜１８ｈの一つが押圧操作されると、券売機１８は制御部２２へ選択された容量及び数量及び伝票番号を含む給油データを送信する。
【００３６】
次のＳ１１では、給油量選択釦１８ａ〜１８ｈの操作により設定された容量及び数量に応じた料金を料金表示器１８ｉに表示する。
【００３７】
続いて、Ｓ１２では、料金表示器１８ｉに表示された料金が料金支払い部１８ｊに投入される。そして、Ｓ１３では、料金支払い部１８ｊに投入された紙幣及び硬貨を読み取り、入金金額を料金表示器１８ｉに表示する。
【００３８】
次のＳ１４では、確認釦１８ｍがオンに操作されると、その確認信号及び伝票番号を制御部２２へ送信する。そして、Ｓ１５では、おつり返却口１８ｋへつり銭を排出する。
【００３９】
その後、Ｓ１６に進み、印字装置３４により印字されたレシートをレシート発行口１８ｎから発行する。このレシートには、伝票番号、容器容量、容器数量等の給油データ及びこれらの給油データのバーコードが印字される。
【００４０】
▲２▼バーコード端末機１４,１６で実行される処理
バーコード端末機１４,１６は、Ｓ２１で券売機１８から発行されたレシートが挿入されると、当該レシートに印字されたバーコードを読み取る。
【００４１】
次のＳ２２では、レシートに印字されたバーコードを読み取ったバーコードデータを制御部２２へ送信する。尚、第１のバーコード端末機１４から送信されたバーコードデータ１は第１の給油系統２６に対応しており、第２のバーコード端末機１６から送信されたバーコードデータ２は第１の給油系統２８に対応している。
【００４２】
▲３▼  計量機１２で実行される処理
計量機１２の制御回路（図示せず）では、制御部２２からのプリセット給油許可データを受信すると、Ｓ３１で給油ポンプを起動させて給油開始となる。
【００４３】
Ｓ３２で給油が終了する給油ポンプを停止させる。
【００４４】
▲４▼  制御部２２で実行される処理
制御部２２は、Ｓ４０で券売機１８から送信された容量及び数量及び伝票番号を含む給油データが受信されたかどうかをチェックする。Ｓ４０において、給油データを受信すると、Ｓ４１に進み、選択内容（容量及び数量）に対する金額データを券売機１８へ送信する。
【００４５】
尚、Ｓ４０において、給油データが受信されないときは、Ｓ４２へ移行する。また、制御部２２は、券売機１８から送信された給油データ（容器容量×容器個数）及び伝票番号が格納されるデータベース３０を有する。
【００４６】
次のＳ４２では、券売機１８から入金データを受信したかどうかをチェックする。Ｓ４２において、券売機１８からの入金データを受信したときは、Ｓ４３に進み、入金金額に対するつり銭データを券売機１８へ送信する。尚、Ｓ４２において、券売機１８から入金データが受信されなかったときは、Ｓ４５へ移行する。
【００４７】
次のＳ４４では、発行されるレシートの伝票番号に対するポリ容器２９の容量と容器数量をメモリのデータベース３０に記憶させる。従って、データベース３０に登録された給油データは、給油許可待ちとなる。
【００４８】
次のＳ４５では、バーコード端末機１４または１６からのバーコードデータ１または２が受信されたかどうかをチェックする。Ｓ４５において、バーコード端末機１４または１６からのバーコードデータ１または２を受信すると、Ｓ４６に進み、バーコードデータを送信した給油系統２６または２８を判別し、給油許可を求めている給油系統２６または２８を認識する。
【００４９】
続いて、Ｓ４７では、データベース３０を検索してバーコードデータの伝票番号に対応する給油データを抽出する。
【００５０】
次のＳ４８では、データベース３０の検索結果から当該バーコードデータの伝票番号に対応する給油データが給油許可待ち状態か否かをチェックする。このＳ４８において、給油許可待ち状態でないときは、前述したＳ４０の処理に戻り、Ｓ４０以降の処理を繰り返す。
【００５１】
しかし、Ｓ４８において、当該バーコードデータの伝票番号に対応する給油データが給油許可待ち状態であるときは、Ｓ４９に進み、当該バーコードデータを送信したバーコード端末機１４または１６に対応する給油許可待ちの給油系統２６または２８へプリセット給油許可データを計量機１２へ送信する。
【００５２】
すなわち、制御部２２は、第１のバーコード端末機１４または第２のバーコード端末機１６からレシートに記載された給油データ（容器容量×容器個数）が入力されると、入力された給油データとデータベース３０に登録された給油データとを照合し、両給油データが一致した場合には計量機１２の各給油系統２６または２８に対し給油許可を与える。これにより、計量機１２の給油系統２６または２８では、給油を開始することができる。
【００５３】
また、Ｓ４９で第１のバーコード端末機１４または第２のバーコード端末機１６からレシートに記載された給油データ（容器容量×容器個数）が入力されると、入力された給油データとデータベース３０に登録された給油データとが一致した場合には計量機１２への給油許可を与えず、給油を禁止する。
【００５４】
次のＳ５０では、当該伝票番号の数量データｎから１減算する。そして、Ｓ５１において、数量データｎがゼロのときは、Ｓ５２に進み、給油待ちエリアに登録されている当該伝票番号の給油データを削除する。その後は、Ｓ４０に戻り、次の顧客が券売機１８でレシートを購入するのを待つ。また、Ｓ５１において、数量データｎがゼロでないときは、前述したＳ４０の処理に戻り、Ｓ４０以降の処理を繰り返す。
【００５５】
また、上記のように、バーコード端末機１４または１６の一方から送信されたバーコードデータに対する給油許可を計量機１２へ送信した後は、再びＳ４０以降の処理を実行して他方のバーコード端末機１６または１４からバーコードデータの送信があるか否かをチェックする。Ｓ４６において、他のバーコード端末機１６または１４からバーコードデータの送信があり、かつ、給油許可待ちデータが残っているときは、他方のバーコード端末機１６または１４に対応する給油許可待ちの他方の給油系統２８または２６へプリセット給油許可データを計量機１２へ送信する。これにより、計量機１２の他方の給油系統２８または２６でも給油が行なえる。
【００５６】
このように、券売機１８から発行された１枚のレシートをバーコード端末機１４及び１６へ挿入してレシートに印字されたバーコードを読み込ませることにより２つの給油系統２６，２８で同時に給油することができるので、例えば、複数のポリ容器２９を持参して給油する場合には、全ポリ容器２９への給油時間を短縮して給油効率を高めることができる。
【００５７】
さらに、制御部２２は、バーコード端末機１４及び１６で読み取られたバーコードデータとデータベース３０に格納された給油データとを照合して一致した場合のみ給油許可信号を計量機１２へ送信するため、券売機１８で給油料金を精算していない人が勝手に給油することを防止できると共に、別のレシートを持っている別の顧客が間違って給油してしまうことを防止できる。
尚、上記実施例では、灯油を販売する場合を一例として挙げたが、これに限らず、灯油以外の油液をポリ容器に給油して販売する場合にも適用できるのは言うまでもない。
【００５８】
また、上記実施例では、１つの給油系統に３個のポリ容器２９が載置できるように構成、給油ノズルを左右方向にスライドさせて順次給油することができるように構成したが、ポリ容器の載置可能数及び給油ノズルの移動機構の構成は、上記実施例に限らないのは勿論である。
【００５９】
また、上記実施例では、１台の計量機１２に一対の給油系統２６，２８を有する構成を一例として挙げたが、これに限らず、複数の計量機に設けられた各給油系統でも同時に給油することができるのは勿論である。
【００６０】
また、上記実施例では、バーコード端末機１４，１６によりレシートに印字されたバーコードを読み取ることにより、伝票番号、容器容量、容器数量等の給油データ及びこれらの給油データを得る構成を一例として挙げたが、これに限らず、バーコード以外のもの、例えば、数字や記号の組み合わせ等をレシートに印字して読み取るようにしても良いのは、言うまでもない。
【００６１】
【発明の効果】
上述の如く、本発明によれば、バーコード端末機によりバーコードが読み取られる毎に、データベースに格納された給油データより当該バーコードに対応する給油データを取り込み、バーコードを読み込んだ当該バーコード端末機に対応する給油系統に対して当該給油データの被給油タンクの数量分の給油許可を与え、当該被給油タンクの個数分の給油が完了している場合には、被給油タンクへの給油を禁止するため、複数の給油系統で複数の被給油タンクに順次給油することができる。よって、同一の顧客が複数の給油系統を用いて複数の被給油タンクへ同時に給油することが可能になり、複数の被給油タンクへの給油時間を短縮することができる。
【図面の簡単な説明】
【図１】本発明になる給油装置の一実施例を示す構成図である。
【図２】券売機１８の構成を示すブロック図である。
【図３】計量機１２の正面図である。
【図４】計量機１２の平面図である。
【図５】計量機１２の背面図である。
【図６】計量機１２の左側面図である。
【図７】計量機１２、バーコード端末機１４,１６、券売機１８、制御部２２、が実行する制御処理のフローチャートである。
【符号の説明】
１１  給油システム
１２  計量機
１４  第１のバーコード端末機
１６  第２のバーコード端末機
１８  券売機
２２  制御部
２６  第１の給油系統
２８  第２の給油系統
２９  ポリ容器
３０  データベース
３２  料金清算器
３３  制御回路
３４  印字装置
４６，４８  載置台
５０，５２  ノズル支持部
５４，５６  給油ノズル
５８，６０  ガイド孔
６２，６４  給油ホース
６６  接続管路
６８  ノズル管路
７０  挿入管路
【図１】
0004428784.tif 000002
【図２】
0004428784.tif 000003
【図３】
0004428784.tif 000004
【図４】
0004428784.tif 000005
【図５】
0004428784.tif 000006
【図６】
0004428784.tif 000007
【図７】
0004428784.tif 000008